(57)【要約】      （修正有）【課題】気管内チューブがエアウェイチューブに通されるとき、気管内チューブをエアウェイチューブの湾曲ではなく自然な湾曲に確実に従わせ、エアウェイ装置が患者内のそのままの位置にあるときに気管内チューブを患者の喉頭注入口に導くエアウェイ装置を提供する。【解決手段】人間若しくは動物に使用するためのエアウェイ装置は，第一端と第二端とを持つエアウェイチューブ（１２）を具備し，前記エアウェイチューブの前記第一端は，そのままの位置で患者の喉頭注入口に適合するように構成された喉頭カフ（２０）で囲まれており，前記エアウェイチューブの前記第一端には，前記エアウェイチューブを通して挿入されたチューブをそのままの位置で前記患者の喉頭注入口に方向づけるように構成された挿管ランプ（２２）が設けられている。【選択図】図２
2019188183.tif 000002
【特許請求の範囲】
【請求項１】
人間若しくは動物に使用するためのエアウェイ装置であって，
当該エアウェイ装置は，第一端と第二端とを持つエアウェイチューブを具備し，
前記エアウェイチューブの前記第一端は，インサイチュで患者の喉頭注入口に適合するように構成された喉頭カフで囲まれており，
前記エアウェイチューブの前記第一端には，前記エアウェイチューブを通して挿入されたチューブをインサイチュで前記患者の喉頭注入口に方向づけるように構成された挿管ランプが設けられており，
前記挿管ランプは，前記挿管ランプの第一端から第二端まで前記挿管ランプの全長にわたって前記挿管ランプの長軸方向に伸びる複数の溝を含む，
エアウェイ装置。
【請求項２】
前記挿管ランプは前記エアウェイチューブの背側の内壁に設けられている，請求項１に記載のエアウェイ装置。
【請求項３】
前記喉頭カフの先端部は細長い，請求項１又は２に記載のエアウェイ装置。
【請求項４】
前記喉頭カフの先端部の背側に突起が設けられている，請求項１〜３のいずれかに記載のエアウェイ装置。
【請求項５】
前記エアウェイチューブの前記第二端の側壁には補足のガス注入口が設けられている請求項１〜４のいずれか一項に記載のエアウェイ装置。
【発明の詳細な説明】
【技術分野】
【０００１】
本発明は，医療装置に関し，喉頭エアウェイ装置及びその製造方法に適用可能である。本発明は特に，自発呼吸している人間又は動物の患者への酸素及び／又は麻酔ガスの投与，外科的処置中又は蘇生中の間欠的陽圧換気法（ＩＰＰＶ），及びそのような処置中の患者への挿管に用いられる装置に適用可能である。
【背景技術】
【０００２】
ＧＢ２３９３３９９（ナジール）は，エアウェイ装置であって，前記エアウェイ装置は，第一端と第二端とを有するエアウェイチューブであって，患者の喉頭注入口への解剖学的な適合を形成する非膨張喉頭カフによって第一端が囲まれているエアウェイチューブと，前記喉頭カフと前記エアウェイチューブの第二端の間において前記エアウェイチューブに接して，又はその周囲に位置する口腔安定器であって，使用時の前記エアウェイ装置の回転又は横の動きを防ぐように適合されている口腔安定器とを備える，エアウェイ装置を記載している。
【０００３】
そのようなエアウェイ装置は，膨張カフを備えるエアウェイ装置の使用に対して大幅な改善をもたらすが，それでも手術中に患者に挿管することが必要となる場合がある。
【０００４】
患者の喉頭注入口の周囲の外側を密閉するだけでなく，気管内チューブの挿入を許容するガイドとしての役割も果たすエアウェイ装置を提供するために，数多くの試みがなされている。しかしながら，そのような装置は常に膨張式であり，必ずしも気管内チューブを喉頭注入口に直接導くものではなく，その代わりに気管内チューブを患者の食道に向かわせることができ，エアウェイ装置のエアウェイチューブに，患者への空気の供給を妨げ、遮断させることができる。
【発明の概要】
【０００５】
本発明の第一の側面は，下記のクレームに記載されるようなエアウェイ装置を提供することである。
【０００６】
従って，本発明の第一の側面によれば，人間若しくは動物に使用するためのエアウェイ装置であって，当該エアウェイ装置は，第一端と第二端とを持つエアウェイチューブを具備し，前記エアウェイチューブの前記第一端は，そのままの位置（ｉｎ  ｓｉｔｕ）で患者の喉頭注入口に適合するように構成された喉頭カフで囲まれており，前記エアウェイチューブの前記第一端には，前記エアウェイチューブを通して挿入されたチューブをそのままの位置で前記患者の喉頭注入口に方向づけるように構成された挿管ランプが設けられている，エアウェイ装置が提供される。好ましくは，前記チューブは気管内チューブである。
【０００７】
ＧＢ２３９３３９９（ナジール）に記載されているような，及び図１に図示されるような従来技術の装置において，気管内チューブがエアウェイチューブに通されるとき，気管内チューブは，その自然な湾曲（気管内チューブの喉頭注入口への正確な挿入を許容する）の代わりに，エアウェイ装置におけるエアウェイチューブの湾曲に従う。このため，気管内チューブはしばしば，喉頭注入口に入るのではなく，喉頭カフの内部に沿って装置の先端部に向かって滑り，その結果気管内チューブが患者の喉頭と接触し，患者の食道に挿入されることすらあるが，いずれも望ましくない。
【０００８】
しかしながら，本発明のエアウェイ装置では，気管内チューブがエアウェイチューブに通されるとき，気管内チューブをエアウェイチューブの湾曲ではなく自然な湾曲に確実に従わせ，エアウェイ装置が患者内のそのままの位置にあるときに気管内チューブを患者の喉頭注入口に導く，挿管ランプが設けられている。
【０００９】
好ましくは，挿管ランプはエアウェイチューブの背側の内壁に設けられている。別の実施形態において，挿管ランプは喉頭カフの背側の内面に設けられている。好ましくは，ランプは，装置が患者内のそのままの位置にあるときにチューブがエアウェイチューブに通されるときに，チューブが患者の解剖学的構造において装置のより高い位置にあること，そしてチューブが患者の喉頭注入口に導かれることを保証するために，曲げられている。
【００１０】
好ましくは，挿管ランプに加えて，エアウェイチューブの第一端は径が大きく，それゆえにエアウェイチューブの残りの部分よりも広い。特に，エアウェイチューブの腹側の内面は，この広がりを与えるため，湾曲しているよりも平坦にされているのが好ましい。これにより，さらに，気管内チューブをエアウェイチューブに通すとき，気管内チューブをエアウェイチューブの湾曲ではなくその自然な湾曲に従わせ，気管内チューブが挿管ランプと相まって機能することを可能にする。本質的に，このように広くすることによって創られるものは，エアウェイチューブがカフの後部に現れるときのエアウェイチューブの第一端のフレア形状である。
【００１１】
好ましくは，挿管ランプには溝若しくは細長いくぼみが設けられている。好ましくは，溝若しくは細長いくぼみは，挿管ランプの全長に沿って，第一端から第二端まで長軸方向に延びている。より好ましくは，挿管ランプには，複数の溝若しくは細長いくぼみが設けられている。挿管ランプを設けることにより喉頭カフの内部空洞の深さが減少し，このことは，もし装置が最適に挿入されなければ，患者の気道が部分的に塞がれる危険性があることを意味する。一つ以上の溝若しくは細長いくぼみを設けることにより，ランプの効果を損なうことなく，患者の気道にエアウェイ装置を通じて気流の開存性が保証される。
【００１２】
好ましくは，喉頭カフの先端部は細長い。好ましくは，喉頭カフの先端部の背側には，突起若しくは隆起が設けられている。喉頭カフの先端部の細長い性質と背側の突起若しくは隆起はともに，エアウェイ装置が患者のそのままの位置にあるときに，改善された食道の封印（ｓｅａｌ）をもたらすのに役立つ。改善された食道の封印をもたらすことにより，患者の腹部の膨張の危険性や，吐き戻しが患者の気道に入る危険性が軽減される。
【００１３】
好ましくは，エアウェイチューブの第二端の側壁には補足のガス注入口が設けられている。補足のガス注入口は，必要に応じて追加の酸素や他の気体が患者に供給されることを許容する。適切な補足のガス注入口については，ＷＯ２０１１１３１９７４（ミラー）に説明されている。
【００１４】
好ましくは，カフは非膨張式であり，患者の喉頭構造への解剖学的な適合を形成するのに適した形状に予め形作られている。
【００１５】
好ましくは，喉頭カフは予め形成されているか，空気で予め膨張しているか，適切な流体で予め満たされている。最も好ましくは，喉頭カフは非膨張式であるが，別の実施形態において，喉頭カフは膨張式であってもよい。
【００１６】
ある別の実施形態において，エアウェイ装置は，喉頭カフとチューブの第二端の間においてエアウェイチューブに接して，又はその周囲に位置する口腔安定器をさらに具備する。口腔安定器は，カフと同じ材料，又は異なる材料で形成されてもよく，使用中の装置の位置づけ及び維持を援助する。特に好ましい実施形態において，口腔安定器は，エアウェイチューブと一体の部品として形成されてもよく，さらに好ましくは，口腔安定器と，エアウェイチューブと，喉頭カフとは，全て一体のユニットとして形成される。
【００１７】
更なる別の実施形態において，口腔安定器は設けられていない。
【００１８】
様々な部品，部分又は構成物のショア硬度は，本発明の重要な特徴である。例えば，喉頭カフは，好ましくはＡスケールのショア硬度４０以下，更に好ましくは０から２０の間，最も好ましくは０から４の間の材料から形成される。
【００１９】
好ましくは，喉頭カフ，及び口腔安定器の前側，腹側の部分は，実質的に同じショア硬度の材料から形成される。これは，構造を簡易にし，患者の柔組織と安定して接する装置の全ての部分が，比較的軟らかいことを裏付ける。
【００２０】
更に好ましい実施形態において，装置の後側若しくは背側部分と，装置の前側若しくは腹側部分とは，異なるショア硬度の材料で形成される。これは，背側部が腹側部よりも硬い材料で作られることを可能にする。
【００２１】
好ましくは，装置の後側若しくは背側部分は，Ａスケールのショア硬度６０未満，より好ましくは２５から４５，最も好ましくは３０から４０の材料から形成される。好ましくは，装置は更に，カフの先端部からエアウェイ装置の第二端まで延びる，胃管通路を組み込んでいる。
【００２２】
本発明の第二の側面によれば，人間若しくは動物に使用するためのエアウェイ装置であって，当該エアウェイ装置は，第一端と第二端とを持つエアウェイチューブを具備し，前記エアウェイチューブの前記第一端は，そのままの位置で患者の喉頭注入口に適合するように構成された喉頭カフで囲まれており，前記エアウェイチューブの前記第一端は，径が拡がっている若しくはフレア状である，エアウェイ装置が提供される。
【図面の簡単な説明】
【００２３】
本発明は，以下の添付図面を例としてのみ参照して説明される。
【図１】図１は，従来技術における喉頭カフを部分断面図において図説している。
【図２】図２は，第一実施形態に従う喉頭カフを部分断面図において図説している。
【図３】図３は，第一実施形態に従う喉頭カフを正面腹側斜視図において図説している。
【図４】図４は，第一実施形態に従う喉頭カフを側面図において図説している。
【図５】図５は，第一実施形態に従う喉頭カフを背面図において図説している。
【図６】図６は，第一実施形態に従う補足のガス注入口を側面図において図説している。
【図７】図７は，第一実施形態に従うエアウェイ装置を側面図において図説している
【発明を実施するための形態】
【００２４】
本発明の実施形態を，単なる例を用いて以下に説明する。これらの例は，出願人が現在知っている，実行に移すのに最も良い方法を表しているが，それらは達成することができる唯一の方法というわけではない。
【００２５】
図２〜５を参照すると，これらの図は本発明の第一の実施形態によるエアウェイ装置１０を説明している。エアウェイ装置１０は，第一端１４と第二端１６とを持つエアウェイチューブ１２を有する。第二端１６は，任意に，１５ｍｍ又はその他の，従来型の麻酔呼吸システムへの接続に適したコネクタ１８で終わっている。エアウェイチューブの第一端１４の周囲には喉頭カフ２０が形成されている。図説される実施形態において，喉頭カフ２０は非膨張式であり，その形状及び輪郭は患者の喉頭注入口領域に調和するように合わせられている。
【００２６】
エアウェイチューブ１２の第一端１４にはまた，エアウェイ装置１０が患者内のそのままの位置（ｉｎ  ｓｉｔｕ）にあるときに，エアウェイチューブ１２を通して挿入された気管内チューブ（若しくはその他の適用可能なチューブ又は装置）を患者の喉頭注入口に方向づけるように構成された挿管ランプ２２が設けられている。挿管ランプ２２は，気管内チューブがエアウェイチューブに通されるとき，気管内チューブがエアウェイチューブ１２の湾曲ではなく気管内チューブの自然な湾曲に従い，エアウェイ装置１０が患者内のそのままの位置にあるときに，患者の喉頭注入口に気管内チューブを導くことを保証する。
【００２７】
図説される実施形態において，挿管ランプ２２は，エアウェイチューブ１２の後部背側の内壁に設けられている。別の実施形態において，挿管ランプ２２は，喉頭カフ３０の後部背側の内面に設けられ得る。
【００２８】
挿管ランプ２２が設けられているのに加えて，エアウェイチューブ１２の第一端１４は径が大きく，それえゆえに，エアウェイチューブ１２の残りの部分よりも広い。図説される実施形態において，エアウェイチューブ１２の前部腹側２４の内面は，この拡張をもたらすため，湾曲しているのではなく平坦になっている。これはさらに，気管内チューブがエアウェイチューブ１２を通して挿入されるときに，気管内チューブをエアウェイチューブ１２の湾曲ではなく気管内チューブの自然な湾曲に従わせ，気管内チューブが挿管ランプ２２と相まって機能することを可能にする。
【００２９】
図説される実施形態において，挿管ランプ２２には，任意に，挿管ランプ２２の全長に沿って，第一端から第二端まで長軸方向に延びている二本の溝２６，２８が設けられている。挿管ランプ２２を設けることにより，喉頭カフ２０の内部空洞の深さが減少し，このことは，もしエアウェイ装置１０が最適に挿入されなければ，患者の気道が部分的に塞がれる危険性があることを意味する。溝２６，２８を設けることにより，挿管ランプ２２の効果を損なうことなく，エアウェイ装置１０を通じて患者の気道に気流の開存性が保証される。
【００３０】
図説される実施形態において，喉頭カフ２０の先端部３０は，図１に示される従来技術における装置と比較して細長い。さらに，喉頭カフ２０の先端部３０には，その後部背側に突起若しくは隆起３２が設けられている。喉頭カフ２０の先端部３０の細長い性質と背側の突起若しくは隆起３２はともに，エアウェイ装置１０が患者のそのままの位置にあるときに，改善された食道の封印をもたらすのに役立つ。改善された食道の封印をもたらすことにより，患者の腹部の膨張の危険性や，吐き戻しが患者の気道に入る危険性が軽減される。
【００３１】
さらに，図説される実施形態において，エアウェイチューブ１２の第二端１６の側壁には，任意の補足的なガス注入口３４が設けられている。とりわけ，補足的なガス注入口３４は，コネクタ１８の一部として形成されるが，別の実施形態において，補足的なガス注入口３４はコネクタ１８とは別体であってもよい。補足的なガス注入口３４は，必要に応じて追加の酸素や他の気体が患者に供給されることを可能にする。
【００３２】
ある別の実施形態において，喉頭カフは非膨張式であり，如何なる適切な軟プラスチック材料から形成される。好ましい軟らかさ（硬さ）の範囲として，ショア硬度Ａスケールにおいて，喉頭注入口に接触する喉頭カフの表面の硬度は４０未満が最適である。好ましい範囲として，同じスケールにおける値が０から２０の間が好ましく，０から４の範囲が特に好ましい。喉頭カフの軟らかさは，カフ自体の本体内に空洞や溝を形成することにより，より適応されることができる。
【００３３】
更なる別の実施形態において，喉頭カフには，空気又は有毒ではないその他の気体，若しくは有毒ではない液体等の流動体が，予め充填されていてもよい。この文脈において，流動体という用語は広い意味を持ち，適当な気体，液体，蒸気又はそれらの合成物を含み，材料の専門家とともに解剖学／麻酔の分野における専門家によって決定されデザインされる。喉頭カフは，余分な内腔圧が一定に保たれるように，亜酸化窒素（麻酔ガス）が材料を通ってかなりの量にまで拡散しないような材料から構成される。それゆえに，喉頭カフは，充填された流動体と麻酔ガスに対して実質的に不浸透性でなければならない。
【００３４】
或いは，喉頭カフは，軟らかく，発泡された材料から形成されるか，泡が充填されてもよい。どちらの場合においても，これにより，喉頭注入口領域の解剖学的構造に合うように，喉頭カフの表面の周囲に，軟らかく変形可能であるが，形を有する面が提供される。このような泡が充填された装置は，実質的に完全な封印ももたらしつつ，その領域における構造への潜在的な損傷を最小限に抑える。
【００３５】
更なる別の実施形態において，喉頭カフは，製造中に流動体が予め充填されており，その場合，使用時にカフ内部の圧力が上昇しないように，カフの内側は亜酸化窒素のような麻酔ガスを吸収しない材料から作られるべきである。
【００３６】
他の実施形態において，喉頭カフは，水，粘液，血液，又は同様の液状物質のような液体を吸収するのに，そして，そうすることで患者の喉頭注入口の解剖学的な粘膜軟骨構造に適合するように大きさが増大するのに適切な材料から形成されてもよい。そのような材料は材料の専門家が選択するが，タンパックス（登録商標）のタンポン又はコンプレストジェルフォーム５（compressed Gel Foam 5）に使用されるようなCRM（綿レーヨン混紡）を含む。
【００３７】
更なる別の実施形態において，喉頭カフは，従来の膨張可能な喉頭カフの形態を採ることもできる。膨張可能な喉頭カフを形成する技術は周知であり，ここでは説明を省略する。
【００３８】
最後に，更に別の実施形態において，喉頭カフは中空であるが，用語の従来の意味における膨張式ではなくてもよい。その代わりに，喉頭カフを「膨張」及び自己加圧させるために，陽圧換気法が使用される。
【００３９】
図説される実施形態においても，喉頭カフ２０とエアウェイチューブ１２の第二端１６の間において，エアウェイチューブ１２の周囲に口腔安定器３６が設けられている。口腔安定器３６は，使用中のエアウェイ装置１０を位置づけ，その位置に維持するのを援助する。
【００４０】
図説される実施形態において，口腔安定器３６は，エアウェイチューブ１２と一体の部品として形成されており，さらに好ましくは，口腔安定器３６，エアウェイチューブ１２，及び喉頭カフ２０が全て一体のユニットとして形成されている。
【００４１】
別の実施形態において，口腔安定器は設けられていない。
【００４２】
コネクタ１８の近傍の装置の第二端の開口からカフ２０の先端部の開口まで延びる，エアウェイチューブ１２とは別の胃管通路３８が設けられている。胃管通路３８は，使用中の万一の受動的な吐き戻しの場合に，胃の吸引物が検出されるのを許容する。また，胃管通路３８は，小口径胃管（例えば，フレカチューブ（Freka Tubes））を挿入するための経路を提供する。
【００４３】
装置は，材料の専門家が選んだような適切なプラスチック材料から構成されてもよい。ラテックスフリーの医療レベルのシリコーンゴムは一つの好ましい材料である。カフは，周囲の組織への過度の損傷を避けるため，生地が柔軟でなければならない。この種類の装置を構成するのに適切なその他の材料は，ポリ塩化ビニル（PVC），スチレン系ブロック共重合体（例えば，スチレンブタジエンスチレン（SVS），スチレンエチレンブチレンスチレン（SEBS））や熱可塑性オレフィン混合体（TPO）のような熱可塑性エラストマー，熱可塑性ポリウレタン（TPU），共重合ポリエステル（COPE），ポリエステルブロックアミド（PEBAX），及び必要に応じてそれらの発泡体を含むが，それらに限定されない。
【００４４】
適切な材料の選択における更なる重要な要素は，透明性である。理想的には，構成の材料若しくは諸材料は，実質的に澄んでいるか透明でなければならない。これにより，麻酔医若しくは操作者が，閉塞やその他の問題をチェックするために，エアウェイの内腔を見ることができる。そのような透明な材料は，材料の専門家に知られている。
【図１】
2019188183.tif 000003
【図２】
2019188183.tif 000004
【図３】
2019188183.tif 000005
【図４】
2019188183.tif 000006
【図５】
2019188183.tif 000007
【図６】
2019188183.tif 000008
【図７】
2019188183.tif 000009
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
人間若しくは動物に使用するためのエアウェイ装置であって，
当該エアウェイ装置は，第一端と第二端とを持つエアウェイチューブを具備し，
前記エアウェイチューブの前記第一端は，インサイチュで患者の喉頭注入口に適合するように構成された喉頭カフで囲まれており，
前記エアウェイチューブの前記第一端には，前記エアウェイチューブを通して挿入されたチューブをインサイチュで前記患者の喉頭注入口に方向づけるように構成された挿管ランプが設けられており，
前記挿管ランプは，前記挿管ランプの第一端から第二端まで前記挿管ランプの全長にわたって前記挿管ランプの長軸方向に伸びる複数の溝を含む，
エアウェイ装置。
【請求項２】
前記挿管ランプは前記エアウェイチューブの背側の内壁に設けられている，請求項１に記載のエアウェイ装置。
【請求項３】
前記エアウェイチューブの前記第一端の前記腹側の前記内壁は，平坦になっている，請求項１又は２に記載のエアウェイ装置。
【請求項４】
前記喉頭カフの先端部は細長い，請求項１〜３のいずれかに記載のエアウェイ装置。
【請求項５】
前記喉頭カフの先端部の背側に突起が設けられている，請求項１〜４のいずれかに記載のエアウェイ装置。
【請求項６】
前記エアウェイチューブの前記第二端の側壁には補足のガス注入口が設けられている請求項１〜５のいずれかに記載のエアウェイ装置。